(57)【要約】【課題】紙製容器において、飲料の飲み口を切妻屋根形の傾斜面又は平らな箱状の上部に取り付け、使用中は紙製容器に備えた状態で使用し、使用後は引き抜いて取り外し、何回でも再使用の繰り返しが行えるようにした、紙製容器に用いるスパウトを提供する。【解決手段】本発明は紙製容器に用いるスパウトであって、飲み口（３）を有する筒状注出部（４）の下部に厚紙を突き刺す尖端部（７）と飲料が流入する開口部（８）とを有する導管（６）を形成し、筒状注出部（４）の中央部に水平に延びて軸対称に曲折された脚片（９）を有する水平状の基板（２）を形成し、曲折された脚片（９）の隅角近傍に複数個の仮止め用爪（１２）を設けて一体成形することを特徴としている。【選択図】図１
2013233991.tif 000002
【特許請求の範囲】
【請求項１】
紙製容器に用いるスパウトであって、飲み口を有する筒状注出部の下部に厚紙を突き刺す尖端部と飲料が流入する開口部とを有する導管を形成し、筒状注出部の中央部には軸対称に曲折された脚片を有する水平状の基板を形成し、曲折された脚片の隅角近傍に複数個の仮止め用爪を設けて一体成形したことを特徴とする紙製容器に用いるスパウト。
【請求項２】
スパウトを保持する保持板に軸対称に設けられた脚部に外向きのガイド壁を設け、当該ガイド壁に直角の係止片を設けて成る保持部材であることを特徴とした請求項１記載の紙製容器に用いるスパウト。
【請求項３】
切妻屋根形の紙製容器を載せるＬ字形状の載置台を形成し、該載置台を後方へ傾斜した状態で水平状の底板と一体成形し、当該載置台の底板を長方状の台枠に接合して成る載置部材であることを特徴とする請求項１，２記載の紙製容器に用いるスパウト。
【発明の詳細な説明】
【技術分野】
【０００１】  本発明は、牛乳やジュースの飲料用容器として使用される紙製容器に、飲料の注出口を装着し、使用後は取り外して再使用できる紙製容器に用いるスパウトに関する。
【背景技術】
【０００２】  従来、紙製容器は、牛乳やジュースなどの飲料を収容する飲料容器として使用されている。紙製容器の外観形状としては、柱状体のもの、上部が平らで箱形状のもの、頂部を切妻屋根形にした紙製容器などがあった。【０００３】  本発明は、上記外観形状を有する各種の紙製容器に、注出口を備えたスパウトの取り付けと使用後の取り外しを容易に行える紙製容器に用いるスパウトを提供するものである。【０００４】  従来、紙パックに注出口を設けたものとして、キャップを有するスパウトを設けたものが提案されている（例えば、特許文献１参照）。【０００５】  また、紙パック内の飲料を注出する注出具の中央部付近にフランジを設けて、パック内に内装する部分とパック外の外装部に被せるキャップを備えた飲料注出具が提案されている（例えば、特許文献２参照）。【０００６】  さらに、カートンに取り付ける注ぎ口取付具の中央部分に、カートン頂部のシール用フラップに被せる逆Ｕ字溝を形成し、当該逆Ｕ字溝の両側に切妻屋根形の傾斜面を形成し、当該傾斜面の両側にはカートンの側面に装着する脚片を形成し、前記傾斜面には、カートン内に挿入する息抜き管と注ぐ管とを設けてなるカートン用注ぎ口取付具が提案されている（例えば、特許文献３参照）。【０００７】  従来の紙製容器には、切妻屋根形の上部を有するゲーブルトップ紙容器及び上部が平らなフラットトップ紙容器がある。とくにゲーブルトップ紙容器に収容した飲料を飲むには、上部のシール用フラップを溶着して閉塞された飲み口を剥離することが要求されている。しかし、このヒートシールを剥離することは困難で容易ではなく、指先が不自由な者にとっては大きな問題があった。また、紙容器に収容した飲料を注出するキャップ式のものは、大抵が紙製容器と一体化されているため、製造コストが嵩む原因となり、また、使用後に使い捨てすることは不経済であるなどの問題があった。
【先行技術文献】
【特許文献】
【０００８】
【特許文献１】特許第４１７１６０５
【特許文献２】実公昭６１−２９６８０
【特許文献３】特公平２−４９９９５
【発明の概要】
【発明が解決しようとする課題】
【０００９】  本発明に係る紙製容器に用いるスパウトは、飲料の飲み口を切妻屋根形の傾斜面や平らな屋根に取り付け、使用中は紙製容器に備えた状態で使用し、使用後は引き抜いて取り外し、何回でも再使用の繰り返しが行えるようにすることが課題である。
【課題を解決するための手段】
【００１０】  本発明は、前記の課題を解決するため、以下の構成を採用した。
【実施例１】
【００１１】  紙製容器に用いるスパウトは、飲み口を有する筒状注出部の下部に紙製容器の厚紙を刺し通す円錐状の尖端部と飲料が流入される複数の開口部が設けられた導管を形成し、当該導管の上部周壁に平パッキンを装着し、筒状注出部と導管との中央部の周壁に平らで長方状の基板を形成し、当該基板の両側辺には軸対称に設けられた一対の脚片を折曲して設け、脚片上部の隅角近傍に複数個の仮止め用爪を設け、両脚片の下部を外向きに折曲して下端部を形成し、基板の正面中央部に突出し片を形成する。【００１２】  なお、飲料の飲み口を有する筒状注出部の下部に雄ねじ溝を設け、雄ねじ溝の下部に設けられた導管の先端に先の尖った円錐状の尖端部を形成し、導管の周壁には飲料が流入される複数の開口部を形成し、導管上部の外周壁に密着性を有するパッキンを差し込み装着することによって、密着性を有するパッキンを基板内側の中央部に設ける。【００１３】  前記スパウトに設けられた筒状注出部の雄ねじ溝にねじ込んで取り付けるキャップの頂部は、キャップのスカート外周壁より大きく確保し、なお、キャップのスカート内周壁の下部に雌ねじ溝を設ける。【００１４】  したがって、本発明のスパウトは、軸対称に設けられた一対の脚片を、紙製容器の側面に装着し、切妻屋根形の紙製容器の傾斜面又は平らな箱状の屋根に、導管の尖端部を当接し、飲み口を有する筒状注出部の雄ねじ溝に螺着したキャップの頂部を押圧すると、導管の尖端部が紙製容器の厚紙を刺し抜いて、尖端部を有する導管が紙製容器内に導かれて使用することが可能となる。【００１５】  なお、軸対称に設けられた脚片が紙製容器の側面に装着すると、複数個の仮止め用爪が紙製容器の縁近傍に押し込まれて、スパウトが紙製容器に仮止めされた状態になる。
【実施例２】
【００１６】  本発明に係る保持部材は、前記スパウトを保持し切妻屋根形の紙製容器に装着して使用するものであって、下記に該保持部材の構成を説明する。【００１７】  本保持部材は、スパウトを保持する方形状の保持板を形成し、保持板の中央部にパッキンの直径より略２ｍｍの大きさを有する円形状の穴を設け、さらに、保持板の背面近傍に長方形状の開口部を形成し、保持板の両側辺には下方へ曲折した脚部を形成し、さらに脚部の一側辺を外向きに立設してガイド壁を形成し、また、当ガイド壁を有する各一対の脚部を形成する。各ガイド壁には直角に曲折された係止片を設ける。【００１８】  スパウトを保持する保持部材は、基板の両側辺を折曲して形成された脚片を、保持部材の両側辺に設けた二対のガイド壁の間に差し入れ、ガイド壁に設けられた係止片でスパウトの脚片は保持された状態で確保される。【００１９】  なお、平らな保持板の中央に設けた円形状の穴に、導管周壁の上部に取り付けたパッキンを装着し、保持板の開口部を切妻屋根形の上部に設けられたシール用フラップに引っ掛けることによって、スパウトを装着する位置が確保されて、導管の尖端部が傾斜した屋根に当接される。
【実施例３】
【００２０】  本発明に係る載置部材は、スパウト又は保持部材を装着するために、飲料が収容された紙製容器を載置するものであって、下記にとおり載置部材の構成を説明する。【００２１】  本載置部材は、飲料が収容された紙製容器を載置するための載置台をＬ字形状に形成し、当該載置台の下部に紙製容器を受ける方形状の受け板を形成し、当該受け板の一端を直角に立設した長方形状の支え板を後方に向って傾斜角を５０°にして、載置台の底板の両側辺と載置台を支える台枠の内側辺とを接合して載置部材を形成し、載置台を取り付けた台枠の底面に滑止用部材を貼着する。【００２２】  前記載置台の底板が水平であることによって、Ｌ字形状の載置台に紙製容器を載せると切妻屋根形の傾斜面が水平に確保されるので、実施例２記載の保持部材を紙製容器の上部に取り付けることができる。【００２３】  また、前記保持部材が取り付けられた紙製容器を載置台の受け板に載置して使用すると、水平状態の保持部材に実施例１記載のスパウトを装着し易く、当該スパウトを紙製容器の上部に容易に取り付けることができる。
【発明の効果】
【００２４】  本発明は、脚片が設けられた基板と紙製容器内の飲料が注出される筒状注出部と飲料が流入する導管とを一体化したスパウトであって、基板の両側に軸対称に設けられた一対の脚片を、切妻屋根形の片側傾斜面を跨ぐ状態で当該容器の外側面に取り付け、導管の尖端部が紙製容器の傾斜面に当接された状態で押し込むと、尖端部を有する導管が紙製容器内に挿通されるので、容器内の飲料が導管の周壁に設けた開口部に流入し、飲料は筒状注出部の筒内を通って、注出部の先端に設けた飲み口から注出されるので、紙製容器内の飲料を飲むことができる。
【００２５】  紙製容器内に収容された飲料を全部飲み終えた後で、紙製容器を使い捨てするときは、スパウトの筒状注出部に設けられた雄ねじ溝にねじ込まれたキャップを引っ張ると、当該注出部と一体成形された導管を紙製容器から取り外すことができる。
【００２６】  本発明の保持部材は、スパウトの注出部と一体成形する導管にパッキンを装着した状態で、当該導管を保持板の中央部の穴に装着した後で、保持部材の脚部を紙製容器の外側面に取り付けると、切妻屋根形の傾斜面で導管の尖端部が位置ずれを起こすことなく、筒状注出部に取り付けたキャップを押し込むことで、尖端部を形成した導管は紙製容器内に刺し通される。
【００２７】  また、紙製容器を使い捨てするときは、スパウトの筒状注出部の周壁に設けた雄ねじ溝にねじ込ませたキャップを引っ張ると、紙製容器内から導管を取り外すことができるので、紙製容器の外側面に取り付けた保持部材は、脚部の下端部を引き上げると容易に取り外すことができる。
【００２８】  本発明に係る載置部材は、手先の不自由な者が前記スパウト又は保持部材を利用するのに好都合なものであって、切妻屋根形の紙製容器を載置部材の受板部に載置すると、紙製容器は後方へ傾斜し支え板で保持されると同時に、切妻屋根形の傾斜面が平らになるので、本発明に係るスパウトや保持部材の取り付けを容易にする効果がある。
【図面の簡単な説明】
【００２９】
【図１】本発明に係るスパウトの斜視図。
【図２】本発明に係るスパウトの断面図。
【図３】本発明に係る保持部材の斜視図。
【図４】本発明に係る載置部材の斜視図。
【発明を実施するための形態】
【００３０】  本発明は紙製容器に用いるスパウトの実施形態を、図面に基づいて説明する。
【実施例１】
【００３１】  紙製容器に用いるスパウト１には、飲み口３を有する筒状注出部４の下部に紙製容器の厚紙を刺し通す円錐状の尖端部７と飲料が流入される複数の開口部８が設けられた導管６を形成し、当該導管６の上部周壁にポリウレタン樹脂による平パッキン１１を装着する。【００３２】  前記筒状注出部４の周壁には、紙製容器の側面と略同一幅の間隔をおいて、水平状の基板２を形成し、当該基板２の両側辺には軸対称に曲折される両脚片９を形成し、当該両脚片９の隅角近傍に複数個の仮止め用爪１２を設けると、ガゼット状に折り込まれた三角錐状凹部の傾斜面の縁に仮止め用爪１２が食い込んだ状態で取り付けられる。【００３３】  前記両脚片９の下部に外向きに曲折した下端部１３を設け、基板２の正面中央部にはスパウト１の正面を示す目印となる突き出し片１０を形成する。【００３４】  なお、飲料の飲み口３を有する筒状注出部４の周壁に雄ねじ溝５を設け、当該雄ねじ溝５にねじ込むキャップ１４は、当該キャップ１４のスカート外周壁１６の外径よりも大きな頂部１５を形成し、キャップ１４のスカート内周壁１７の下部に雌ねじ溝１８を設ける。【００３５】  前記導管６の上部周壁に装着された軟質で弾力性を有する平パッキン１１は、紙製容器の傾斜面とスパウト１との密着性を図ることができる。【００３６】  基板に軸対称に設けられた脚片９が紙製容器の外側面に装着されると、紙製容器の上部に導管６の尖端部７が当接されるので、飲み口３を有する注出部４の下部周壁に設けた雄ねじ溝５と螺合する雌ねじ溝を有するキャップ１４の頂部を押圧すると、導管６の尖端部７が紙製容器の厚紙を突き刺し、容器内に導管６が挿し通されて使用可能となる。
【実施例２】
【００３７】  図３に示す保持部材は、本発明に係る紙製容器にスパウトを用いるとき、切妻屋根形の傾斜面を有する紙製容器に装着するものであって、下記に本保持部材の実施例を図面に基づいて説明する。【００３８】  本保持部材１９は、実施例１記載のスパウト１を保持するために平らな方形状の保持板２０を形成し、保持板２０の中央部に前記パッキン１１の直径より略２ｍｍの大きさが確保された円形状の穴２１を設け、当該穴２１の後方に保持板２０の長さと略同一の長さで長方状の開口部２２を形成し、保持板２０の両側辺を下方へ折曲した左右対称の脚部２３を形成し、各脚部２３の一側辺には外向きのガイド壁２４を立設し、さらに、各脚部２３に設けられた各ガイド壁２４には直角に形成した係止片２５を設ける。【００３９】  前記保持部材１９でスパウト１を保持するには、基板２の両側辺を折曲して形成した脚片９を、保持部材１９の両側辺に設けた二対のガイド壁２４の間に差し入れると、ガイド壁２４に設けられた係止片２５でスパウト１の脚片９が保持された状態で確保される。【００４０】  本保持部材１９にスパウト１を取り付けて使用する場合は、平らな保持板２０の中央部に設けた円形状の穴２１に，導管６の上部周壁に設けたパッキン１１を装着した状態で、保持板２０に形成された長方状の開口部２２を切妻屋根形の上部に設けたシール用フラップに引っ掛けると、保持部材１９が安定してスパウト１の取り付け位置がずれないで導管６の尖端部７が傾斜面に当接する状態になる。【００４１】  なお、保持部材１９にスパウト１を装蹄して使用する場合は、紙製容器の側面に保持部材１９の脚部２３を装着し、保持部材１９の開口部２２を紙製容器の上部に設けたシール用フラップに引っ掛けると、スパウト１が紙製容器の上部に装着される。
【実施例３】
【００４２】  図４に示す載置部材２６は、飲料が収容された紙製容器を載置するときに使用するものであって、下記に本載置部材の実施例を図面に基づいて説明する。【００４３】  本載置部材２６は、飲料が収容された紙製容器を載置する載置台２７をＬ字状の成形し、当該載置台２７の下部に紙製容器を載せる方形状の受け板２８を設け、当該受け板２８の一端に立設された長方形状の支え板２９を後方へ５０°角で傾斜させて、載置台２７の底板３０を水平に形成し、当該底板３０の両側辺と載置台２７を接合する台枠３１の内側辺とを一体に接合し、載置台２７を接合した台枠３１の底面に滑止用部材３２を貼着する。【００４４】  紙製容器を、載置部材２６を構成する載置台２７の受け板２８に載置して使用すると、切妻屋根形の傾斜面を水平な状態に確保してスパウト１を取り付けることができる。したがって、手先が不自由者でも、スパウト１を紙製容器に容易に取り付けることができる。
【符号の説明】
【００４５】  １  スパウト
２  基板
３  飲み口
４  注出部
５  雄ねじ溝
６  導管
７  尖端部
８  開口部
９  脚片
１０  突出し片
１１  パッキン
１２  仮止め用爪
１３  下端部
１４  キャップ
１５  頂部
１６  スカート外周壁
１７  スカート内周壁
１８  雌ねじ溝
１９  保持部材
２０  保持板
２１  円形状の穴
２２  長方状の開口部
２３  脚部
２４  ガイド壁
２５  係止片
２６  載置部材
２７  載置台
２８  受け板
２９  支え板
３０  底板
３１  台枠
３２  滑止用部材
【図１】
2013233991.tif 000003
【図２】
2013233991.tif 000004
【図３】
2013233991.tif 000005
【図４】
2013233991.tif 000006